(57)【特許請求の範囲】
【請求項１】
ケーブルを収容可能な可撓性を有した管状体と、
前記管状体の延伸方向に沿って前記管状体に埋め込まれた金属芯と、
を備え、
前記管状体の側面に前記管状体の延伸方向に沿って切り込みが設けられ、前記切り込みを介して前記ケーブルを前記管状体に脱着可能であり、
前記切り込みは、第１切り込み幅を有する第１切り込み部と、前記第１切り込み幅よりも広い第２切り込み幅を有する第２切り込み部とを含む
ことを特徴とするケーブルホルダ。
【請求項２】
前記切り込みは前記管状体の一方端から他方端にわたって設けられていることを特徴とする請求項１に記載のケーブルホルダ。
【請求項３】
前記第１切り込み部の第１切り込み幅は前記ケーブルが脱落しないように前記ケーブルを係合可能な幅であることを特徴とする請求項１又は２に記載のケーブルホルダ。
【請求項４】
前記管状体は前記第１切り込み部の近傍が前記第２切り込み部の近傍よりも硬い材質で形成されていることを特徴とする請求項１から３のいずれか１項に記載のケーブルホルダ。
【発明の詳細な説明】
【技術分野】
【０００１】
本発明は、ケーブルホルダに関する。
【背景技術】
【０００２】
電気製品を使用する際、付属しているケーブル（あるいはコード）の取り回しに悩まされることがある。例えば、スマートフォンなどに充電ケーブルを接続して机の上に置いた場合、ケーブルが長すぎて机の上が乱雑となり、作業の邪魔になることがある。また例えば、パソコンのマウスを使用している最中に、マウスの接続ケーブルが机の上の他の物品に引っ掛かってしまい、マウスの快適な使用が妨げられることもある。
【０００３】
従来、ケーブルの取り回しを改善する手段として、例えば、長すぎるケーブルを巻き取る巻き取り器（例えば非特許文献１参照）や、複数のケーブルをまとめて収容できるチューブ（例えば非特許文献２参照）などが知られている。
【先行技術文献】
【非特許文献】
【０００４】
【非特許文献１】「ＣａｂｌｅＴｕｒｔｌｅ」、［ｏｎｌｉｎｅ］、［平成２７年２月４日検索］、インターネット＜http://www.assiston.co.jp/334＞
【非特許文献２】「ケーブルスパイラルチューブ」、［ｏｎｌｉｎｅ］、［平成２７年２月４日検索］、インターネット＜http://www2.elecom.co.jp/cable/accessory/spiral-tube/index.html＞
【発明の概要】
【発明が解決しようとする課題】
【０００５】
しかしながら、従来、ケーブルを自由な形に曲げてその形を保持することはできなかった。
【０００６】
本発明は、上記の点に鑑みてなされたものであり、その目的の１つは、ケーブルを曲げてその形を保持することが可能なケーブルホルダを提供することにある。
【課題を解決するための手段】
【０００７】
上述した課題を解決するために、本発明の一態様は、ケーブルを収容可能な可撓性を有した管状体と、前記管状体の延伸方向に沿って前記管状体に埋め込まれた金属芯と、を備えることを特徴とするケーブルホルダである。
本態様のケーブルホルダによれば、ケーブルを管状体に収容して曲げた時に金属芯によってその形を保持することができる。
【０００８】
また、本発明の他の一態様は、上記一態様において、前記管状体の側面に前記管状体の延伸方向に沿って切り込みが設けられ、前記切り込みを介して前記ケーブルを前記管状体に脱着可能であることを特徴とするケーブルホルダである。
本態様のケーブルホルダによれば、切り込みを介して容易にケーブルを管状体に取り付け、又は管状体から取り外すことができる。
【０００９】
また、本発明の他の一態様は、上記一態様において、前記切り込みは前記管状体の一方端から他方端にわたって設けられていることを特徴とするケーブルホルダである。
本態様のケーブルホルダによれば、切り込みを介して容易にケーブルを管状体に取り付け、又は管状体から取り外すことができる。
【００１０】
また、本発明の他の一態様は、上記一態様において、前記切り込みは、第１切り込み幅を有する第１切り込み部と、前記第１切り込み幅よりも広い第２切り込み幅を有する第２切り込み部とを含むことを特徴とするケーブルホルダである。
本態様のケーブルホルダによれば、第１切り込み部によってケーブルをしっかりと保持することができると共に、第２切り込み部ではケーブルは緩く保持されるのでケーブルを楽に曲げることができる。
【００１１】
また、本発明の他の一態様は、上記一態様において、前記第１切り込み部の第１切り込み幅は前記ケーブルが脱落しないように前記ケーブルを係合可能な幅であることを特徴とするケーブルホルダである。
本態様のケーブルホルダによれば、第１切り込み部によってケーブルをしっかりと保持することができる。
【００１２】
また、本発明の他の一態様は、上記一態様において、前記管状体は前記第１切り込み部の近傍が前記第２切り込み部の近傍よりも硬い材質で形成されていることを特徴とするケーブルホルダである。
本態様のケーブルホルダによれば、第１切り込み部によってケーブルをより確実に保持することができると共に、管状体全体としては柔軟性を持たせることができる。
【発明の効果】
【００１３】
本発明によれば、ケーブルを曲げてその形を保持することが可能である。
【図面の簡単な説明】
【００１４】
【図１】ケーブルホルダ１０の使用場面の一例を示す図である。
【図２】ケーブルホルダ１０の上面図及び断面図である。
【図３】ケーブルホルダ１０の変形例を示す図である。
【発明を実施するための形態】
【００１５】
以下、図面を参照しながら本発明の実施形態について詳しく説明する。
【００１６】
図１は、本発明の一実施形態に係るケーブルホルダ１０の使用場面の一例を示す図である。スマートフォン２０に充電ケーブル３０が接続され、充電ケーブル３０にケーブルホルダ１０が装着されている。ケーブルホルダ１０は管状であり、側面にその延伸方向（長手方向）に沿った切り込みが形成されている。この切り込みを介して充電ケーブル３０がケーブルホルダ１０にはめ込まれ、ケーブルホルダ１０の管の内側に充電ケーブル３０が収容されて保持されている。ケーブルホルダ１０は可撓性を有し、充電ケーブル３０を収容した状態で自由な形に曲げることができる。例えばケーブルホルダ１０は、シリコーン樹脂などの樹脂材料で構成することができる。
【００１７】
ケーブルホルダ１０の切り込みは、切り込み幅の狭い第１切り込み部１０１と、切り込み幅の広い第２切り込み部１０２とを含む。第１切り込み部１０１においては、切り込み幅が狭いことによって充電ケーブル３０はケーブルホルダ１０にしっかりと係合されており、ケーブルホルダ１０から外れて脱落しないようになっている。一方、第２切り込み部１０２においては、切り込み幅が第１切り込み部１０１よりも広いことにより、充電ケーブル３０はケーブルホルダ１０に緩く保持された状態となっている。そのため、ケーブルホルダ１０を曲げた時に充電ケーブル３０は比較的自由にケーブルホルダ１０の内側を滑って動くことができるので、充電ケーブル３０をケーブルホルダ１０にはめ込んだ状態で楽に曲げることが可能である。
【００１８】
なお、スマートフォン２０及び充電ケーブル３０は単なる例示であり、本発明を限定するものではない。例えば、スマートフォン２０に代えて、携帯電話、パソコン、マウス、キーボード等を含む、あらゆる電気製品が適用されてよい。また、充電ケーブル３０に限らず、データ転送用ケーブル、電源供給用ケーブル、映像・音声信号ケーブルなどが適用されてもよく、更にケーブルの寸法や形状は適宜変更されてよい。
【００１９】
図２は、ケーブルホルダ１０の上面図及び断面図である。上面図では、真直ぐに伸ばした形のケーブルホルダ１０を、上述した切り込みが設けられている側から眺めて描いている。上面図に示されるように、ケーブルホルダ１０は、切り込み幅の狭い第１切り込み部１０１の近傍部分である第１部分１０３と、切り込み幅の広い第２切り込み部１０２に対応する部分である第２部分１０４とから構成される。第１部分１０３は、上述したように第１切り込み部１０１の切り込み幅が狭いことにより、充電ケーブル３０を脱落しないようしっかりと係合することが可能である。また第２部分１０４は、上述したように第２切り込み部１０２の切り込み幅が第１切り込み部１０１よりも広いことにより、充電ケーブル３０を緩く保持することが可能である。
【００２０】
ケーブルホルダ１０の第１部分１０３は、例えば、ケーブルホルダ１０の第２部分１０４よりも硬い材質で形成されてもよい。これにより、ケーブルホルダ１０を曲げた際にも硬い材質で形成された第１部分１０３によって充電ケーブル３０を確実に保持することができると共に、第２部分１０４が第１部分１０３よりも硬度の低い材質で形成されているため、ケーブルホルダ１０の全体としての柔軟性（可撓性）を確保することができる。なお、ケーブルホルダ１０の第１部分１０３と第２部分１０４を、同じ材質又は硬度が同程度の材質で形成してもよい。
【００２１】
図２の断面図は、上面図に示したＡＡ線及びＢＢ線によるケーブルホルダ１０の断面を示している。ケーブルホルダ１０は円管状であり、円管の一部が欠けることで上述した切り込み（第１切り込み部１０１及び第２切り込み部１０２）を形作っている。ＡＡ断面に示されるように第１部分１０３における第１切り込み部１０１の切り込み幅は狭く、これと比較すると、ＢＢ断面に示されるように第２部分１０４における第２切り込み部１０２の切り込み幅は広い。
【００２２】
更に、ＡＡ断面及びＢＢ断面に示されるように、ケーブルホルダ１０の管壁内部には、第１部分１０３から第２部分１０４にわたって金属芯１０５が埋め込まれている。金属芯１０５は、ケーブルホルダ１０の軸方向（延伸方向、長手方向）に沿って延設された金属の細長い部材である。例えば、金属芯１０５は、ケーブルホルダ１０の全長にわたって連続的に延在する（即ち、途切れることなく繋がった）ものとして構成することができる。また例えば、金属芯１０５は、ケーブルホルダ１０の長手方向の途中で分断された幾つかの部分から構成されてもよい。このようにケーブルホルダ１０の軸方向に延びる金属芯１０５は、ケーブルホルダ１０を例えば図１に示したような形に曲げた時に、ケーブルホルダ１０をその曲げたままの形に維持する役割を果たすことができる。したがって、ケーブルホルダ１０にはめ込んだ充電ケーブル３０を、曲げた形に保持することが可能である。
【００２３】
図２の断面図において金属芯１０５はケーブルホルダ１０の管壁に３本設けられているが、１本若しくは２本だけ設けてもよいし、又は４本以上設けてもよい。また、図２に変形例として示したように、金属芯１０５の断面形状をケーブルホルダ１０の管壁の形状（円管）に沿った円弧状としてもよい。このような金属芯１０５の本数や形状の変更によって、ケーブルホルダ１０の曲げやすさと曲げた形状の保持しやすさを調整することができる。
【００２４】
図３は、ケーブルホルダ１０の更なる変形例を示す図である。図３（Ａ）に示されるように、ケーブルホルダ１０の切り込みはその全体にわたって同じ切り込み幅で形成されてもよい。また、図３（Ｂ）に示されるように、ケーブルホルダ１０の切り込みは、ケーブルホルダ１０を外力が加わらない自然な状態に置いた時に切り込み口がほぼ閉じた形となる（即ち、切り込み幅がほぼゼロである）ように形成されてもよい。更に、図３（Ｃ）及び（Ｄ）に示されるように、ケーブルホルダ１０は、断面の形状が楕円や四角形の管状体であってもよい。
【００２５】
以上、本発明の実施形態を説明したが、本発明はこれに限定されず、その要旨を逸脱しない範囲内において様々な変更が可能である。
【符号の説明】
【００２６】
１０    ケーブルホルダ
１０１  第１切り込み部
１０２  第２切り込み部
１０３  第１部分
１０４  第２部分
１０５  金属芯
２０    スマートフォン
３０    充電ケーブル
【要約】
【課題】ケーブルを曲げてその形を保持することが可能なケーブルホルダを提供する。
【解決手段】ケーブルホルダは、ケーブルを収容可能な可撓性を有した管状体と、前記管状体の延伸方向に沿って前記管状体に埋め込まれた金属芯と、を備える。
【選択図】図２【図１】
0005821091.tif 000002
【図２】
0005821091.tif 000003
【図３】
0005821091.tif 000004